(57)【要約】      （修正有）【課題】任意の表示内容を簡便に選択できるようにする。【解決手段】表示画面２６が、文字や絵のような記号（ｉ）を数多く移動させながら表示することができる主表示部２２と、それらの記号（ｉ）のうち任意の記号（ｉ）を選択するための選択部２４を有する。任意の記号（ｉ）に表示画面２６上でタッチすることにより、その任意の記号（ｉ）を選択し、そのような記号（ｉ）の選択に応じた表示内容を表示画面２６に表示する構成にした表示画面装置。【選択図】図２
2005182457.tif 000002
【特許請求の範囲】
【請求項１】
表示画面（１６、２６、３６）が、文字や絵のような記号（ｉ）を数多く移動させながら表示することができる主表示部（１２、２２、３２）と、それらの記号（ｉ）のうち任意の記号（ｉ）を選択するための選択部（１４、２４、３４）を有し、表示画面（１６、２６、３６）にタッチすることにより、任意の記号（ｉ）を選択し、その記号（ｉ）の選択に応じた表示内容を表示画面（１６、２６、３６）に表示する構成にしたことを特徴とする表示画面装置。
【請求項２】
選択部（１４、２４、３４）がタッチパネルで形成されており、タッチパネルが主表示部（１２、２２、３２）に少なくとも部分的に重なり合うように設けられていることを特徴とする請求項１に記載の表示画面装置。
【請求項３】
主表示部（１２、２２、３２）がスクロール式またはテロップ式の表示部であり、選択部（１４、２４、３４）が、主表示部（１２、２２、３２）を全面的に覆うように設けられているタッチパネルであることを特徴とする請求項１又は２に記載の表示画面装置。
【請求項４】
選択部（１４、２４、３４）が、主表示部（１２、２２、３２）の主要部分の全体に重ねて設けられており、記号（ｉ）の選択により、主表示部（１２、２２、３２）にそれまで表示されていた表示内容が主表示部（１２、２２、３２）から消えて、記号（ｉ）の選択に応じた表示内容が主表示部（１２、２２、３２）に表示されることを特徴とする請求項１〜３のいずれか１項に記載の表示画面装置。
【請求項５】
表示画面（１６、２６、３６）が、主表示部（１２、２２、３２）に加えて副表示部（２８、３８）を有し、記号（ｉ）の選択に応じた表示内容が副表示部（２８、３８）に表示されることを特徴とする請求項１〜２のいずれか１項に記載の表示画面装置。
【請求項６】
表示画面（１６、２６、３６）が、主表示部（１２、２２、３２）に加えて、記号（ｉ）の移動の停止及び再生を実行するためのボタン表示部（３３ａ、３３ｂ）を有することを特徴とする請求項１〜５のいずれか１項に記載の表示画面装置。
【請求項７】
表示画面（１６、２６、３６）が、主表示部（１２、２２、３２）に加えて、記号（ｉ）の移動の速度を変更するためのボタン表示部を有することを特徴とする請求項１〜６のいずれか１項に記載の表示画面装置。
【発明の詳細な説明】
【技術分野】
【０００１】
本発明は、文字や絵のような記号を移動させながら表示することが可能な表示画面装置に関する。
【背景技術】
【０００２】
近年の情報量の増加に伴い、数多くの選択肢の中から任意の選択肢を簡便に選択して表示できる手段が求められている。
【０００３】
印刷業界においても、特に印刷紙面検査装置について同様な要望がある。
【０００４】
一般に印刷紙面検査装置は、紙面を検査処理部で監視し、合否判定をし、紙面に汚れなどの異常があった場合、その異常を知らせるものである。印刷紙面検査装置は、通常複数のセンサ素子を印刷方向に対して垂直に並べており、センサ素子単位で紙面情報を選択してモニタ画面に波形表示することにより、検査状況を詳しく知ることができるようになっている。特に、近年の検査の高精度化により、紙面情報を詳細に得ようとすればするほど多数のセンサ素子が必要となっており、結果としてセンサ素子が増える傾向にある
特許文献１には、特に印刷紙面検査装置において、複数の表示部分の中から所望の表示部分を選択可能にした構成が示されている。
【特許文献１】特願２００２−１９６９９４号明細書
【発明の開示】
【発明が解決しようとする課題】
【０００５】
しかしながら、選択肢の数が増加すればするほど、その中から任意のものを選択するのは困難になる。例えば、多数の文字や絵のような記号を一時に表示すると、その中から任意の記号を選択するにはかなりの時間を要することになる。
【０００６】
また、特に印刷紙面検査装置においては、センサ素子が増える傾向にあるため、センサ素子単位で波形表示をする際に、センサ素子を選ぶのが困難な状況となっている。
【０００７】
そこで本発明は、数多くの表示内容（記号）の中から任意の表示内容（記号）を簡便に選択できる表示画面装置を提供することを目的としている。
【課題を解決するための手段】
【０００８】
本発明の解決手段を例示すると、次のとおりである。
【０００９】
（１）  表示画面（１６、２６、３６）が、文字や絵のような記号（ｉ）を数多く移動させながら表示することができる主表示部（１２、２２、３２）と、それらの記号（ｉ）のうち任意の記号（ｉ）を選択するための選択部（１４、２４、３４）を有し、表示画面（１６、２６、３６）にタッチすることにより、任意の記号（ｉ）を選択し、その記号（ｉ）の選択に応じた表示内容を表示画面（１６、２６、３６）に表示する構成にした表示画面装置。
【００１０】
（２）  主表示部（１２、２２、３２）がスクロール式またはテロップ式の表示部であり、選択部（１４、２４、３４）がタッチパネルであり、タッチパネルが主表示部（１２、２２、３２）に少なくとも部分的に重なり合うように設けられていることを特徴とする先述の表示画面装置。
【００１１】
（３）  選択部（１４、２４、３４）が、主表示部（１２、２２、３２）を全面的に覆うように設けられていることを特徴とする先述の表示画面装置。
【００１２】
（４）  選択部（１４、２４、３４）が、主表示部（１２、２２、３２）の全体に重ねて設けられており、記号（ｉ）の選択によりそれまで表示されていた表示内容が主表示部（１２、２２、３２）から消えて、記号（ｉ）の選択に応じた表示内容が主表示部（１２、２２、３２）に表示されることを特徴とする先述の表示画面装置。
【００１３】
（５）  表示画面（１６、２６、３６）が、主表示部（１２、２２、３２）に加えて副表示部（２８、３８）を有し、記号（ｉ）の選択に応じた表示内容が副表示部（２８、３８）に表示されることを特徴とする先述の表示画面装置。
【００１４】
（６）  表示画面（１６、２６、３６）が、主表示部（１２、２２、３２）に加えて、記号（ｉ）の移動の停止及び再生を実行するためのボタン表示部（３３ａ、３３ｂ）を有することを特徴とする先述の表示画面装置。
【００１５】
（７）  表示画面（１６、２６、３６）が、主表示部（１２、２２、３２）に加えて、記号（ｉ）の移動の速度を変更するためのボタン表示部を有することを特徴とする先述の表示画面装置。
【発明の効果】
【００１６】
本発明によれば、表示内容（記号）を簡便に選択して表示できる。
【００１７】
主表示部をスクロール式またはテロップ式の表示部とし、選択部をタッチパネルとし、タッチパネルが主表示部に少なくとも部分的に重なり合うように設ければ、主表示部に表示された表示内容を直接選択できるので、表示内容を確実に選択できる。
【００１８】
また、主表示部が限られた面積であっても、多くの表示内容を主表示部や副表示部に表示させることが出来る。
【００１９】
記号の移動の停止及び再生を実行するためのボタン表示部を設ければ、移動を停止させて記号を確実に選択できる。
【００２０】
記号の移動の速度を変更するためのボタン表示部を設ければ、記号を高速又は低速で表示させて選択することができる。
【発明を実施するための最良の形態】
【００２１】
本発明の表示画面装置は、表示画面が、文字や絵のような記号を数多く移動させながら表示することができる主表示部と、それらの記号のうち任意の記号を選択するための選択部を有し、表示画面にタッチすることにより、任意の記号を選択し、その記号の選択に応じた表示内容を表示画面に表示する構成にしたことを特徴とする。
【００２２】
主表示部をスクロール式またはテロップ式の表示部とし、選択部をタッチパネルとし、タッチパネルが主表示部に少なくとも部分的に重ね合わさるように設けられる構成にするのが好ましい。
【００２３】
選択部が主表示部を全面的に覆うように設けられる構成にしても良い。
【００２４】
表示画面が、主表示部と、その主表示部の全体に重ねて設けられており、記号の選択によりそれまで表示されていた表示内容が主表示部から消えて、記号の選択に応じた表示内容が主表示部に表示されるようにすることも出来る。
【００２５】
表示画面が、主表示部に加えて副表示部を有し、記号の選択に応じた表示内容が副表示部に表示される構成にできる。
【００２６】
表示画面が、主表示部に加えて、記号の移動の停止及び再生を実行するためのボタン表示部や、記号の移動速度を変更するためのボタン表示部を有する構成にしても良い。その他、記号の言語等を変更するためのボタン表示部を有する構成にしても良い。
【００２７】
本発明は、種々の機械及び装置に適用可能である。本発明は、印刷紙面検査装置の他、例えばテレビ放送のテロップや、スクロール表示を備えた電車、バス等、情報の表示が必要とされる場面で適宜利用可能である。
【００２８】
主表示部は、文字や絵のような記号を数多く移動させながら表示（スクロール表示）することができる。このような表示の一例として、テレビ放送で流される字幕等のテロップ（ｔｅｌｅｖｉｓｉｏｎ  ｏｐａｑｕｅ  ｐｒｏｊｅｃｔｏｒ）がある。以下に示す実施例において、記号を移動させる方向は、左右一方向のみが示されているが、上下左右いずれでもよい。
【００２９】
本願において、記号という用語は、最も広義に解するものとし、狭義の記号のほか、多種多様な記号、文字、図形、その他を含むものとする。
【００３０】
選択部は、任意の記号を選択できるものであれば良い。例えば感圧式又は感電式のタッチパネル（タッチスクリーンを含む）とすることができる。選択部の表面は、指先又はペン先等でタッチするタイプのものが好ましい。
【００３１】
本願において「タッチ」とは、主として直接タッチすることを意味するが、間接的なタッチも含むものとする。
【００３２】
本発明の主表示部は、文字や絵のような記号を数多く移動させながら表示することができるものが最適であるが、文字や絵のような記号を数個又は１個だけ移動させながら表示するものも含むものとする。
【実施例】
【００３３】
以下、図面を参照して本発明の実施例を説明する。
【００３４】
実施例１
図１は、本発明による表示画面装置の一例を示す。
【００３５】
表示画面装置１０は、制御装置１５と表示画面１６を有している。
【００３６】
表示画面１６は、主表示部１２と、それに重ね合わせて設けたタッチパネル式の選択部１４を有する。
【００３７】
主表示部１２は、多数の一連の記号ｉを矢印Ｘ方向に移動させながら表示可能である。主表示部１２には、多数の一連の記号ｉとして、たとえばａ、ｂ、ｃ、ｄ・・・・・が示されている。
【００３８】
図１においては、記号ａ、ｂ、ｃ、ｄ・・・・・を左から右へ移動させながら表示している例が示されている。
【００３９】
主表示部１２は、制御装置１５に接続されている。制御装置１５は、主表示部１２に表示される記号ｉの内容、表示色、移動速度等を制御する。
【００４０】
主表示部１２の表面には、記号ｉのうちの任意の記号（たとえばｃ）を選択するための選択部１４が設けられている。選択部１４は、タッチパネルで構成されており、主表示部１２を全体的に覆っていて視認可能である。
【００４１】
選択部１４は、制御装置１５に接続されている。選択部１４がタッチされると、タッチされた位置が検出されて制御装置１５に送られるようになっている。
【００４２】
表示画面装置１０の使用例を説明する。
【００４３】
記号ｉが移動しているときに、使用者は任意の記号（たとえばｂ）に表示画面１６上でタッチする。そのようにタッチ式に任意の記号ｉが選択されたか否かは、従来の技術を利用することができる。例えば、制御装置１５は、表示画面１６の選択部１４がタッチされた位置を取得し、タッチされた位置と移動している記号ｉの現在位置を比較する。タッチされた位置と記号ｉのうちのある記号、例えば記号ａの現在位置が所定の誤差の範囲内で一致するとき、制御装置１５は記号ａが選択されたと判断する。タッチされた位置と記号ｉの現在位置が一致しないとき、制御装置１５は記号が選択されていないと判断する。或いは、移動している記号ｉの速度及び大きさから記号ｉの現在位置を見積もり、タッチされた位置と見積もられた記号ｉの現在位置を比較することにより、選択の有無を判断してもよい。
【００４４】
任意の記号が選択された後は、任意の記号に関連付けられた他の工程を行う。例えば、記号ａが選択された後、それまで表示されていた記号ｉが主表示部１２から消えて、それに代えて、選択された記号ａに応じた新たな表示内容（図示していないが、たとえばアイウエ・・・・・）を主表示部１２に表示する。
【００４５】
実施例２
図２は、本発明による表示画面装置の別の例を示す。
【００４６】
表示画面装置２０は、制御装置２５と表示画面２６を有している。
【００４７】
表示画面２６は、主表示部２２、選択部２４、及び副表示部２８を有する。
【００４８】
主表示部２２は、記号ｉを矢印Ｘ方向に移動させながら表示可能である。主表示部２２には、記号ｉとしてａ、ｂ、ｃ、ｄが示されている。
【００４９】
図２においては、記号ａ、ｂ、ｃ、ｄが左から右へ移動されている状態が示されている。
【００５０】
主表示部２２と副表示部２８は、制御装置２５に接続されている。制御装置２５は、主表示部２２に表示される記号ｉの内容、表示色、移動速度等を制御するとともに、副表示部２８表示される記号Ｉの内容等を制御する。
【００５１】
主表示部２２の表面には、記号ｉのうちの任意の記号（たとえばｂ）を選択するための選択部２４が設けられている。選択部２４は主表示部２２と実質的に同一の寸法を有するタッチパネルで形成されていて、主表示部２２を全体的に覆っており、視認可能となっている。
【００５２】
選択部２４は、制御装置２５に接続されている。選択部２４がタッチされると、タッチされた位置が検出されて制御装置２５に送られるようになっている。
【００５３】
副表示部２８は、主表示部２２に表示された記号ｉのうちの任意の記号（たとえばｄ）に対応した記号Ｉを表示可能に構成されている。図２には、一例として大文字のＡが示されている。
【００５４】
表示画面装置２０の使用例を説明する。
【００５５】
記号ｉが移動しているときに、使用者は任意の記号（たとえばｄ）に表示画面２６上でタッチする。任意の記号ｄが選択されたか否かは、従来の技術を利用することができる。例えば、制御装置２５は、表示画面２６の選択部２４がタッチされた位置を取得し、タッチされた位置と移動している記号ｉの現在位置を比較する。タッチされた位置と記号ｉのうちのある記号、例えば記号ａの現在位置が所定の誤差の範囲内で一致するとき、制御装置２５は記号ａが選択されたと判断する。タッチされた位置と記号ｉの現在位置が一致しないとき、制御装置２５は記号が選択されていないと判断する。或いは、移動している記号ｉの速度及び大きさから記号ｉの現在位置を見積もり、タッチされた位置と見積もられた記号ｉの現在位置を比較することにより、選択の有無を判断してもよい。
【００５６】
任意の記号が選択された後は、任意の記号に関連する記号を副表示部２８に表示する。図２に示した例においては、記号ａが選択された後、記号ａに関連する表示内容Ａを副表示部２８に表示する。
【００５７】
実施例３
図３〜５は、本発明による表示画面装置を印刷紙面検査装置に適用した一例を示す。
【００５８】
表示画面装置３０は、図示省略された制御装置と、種々の内容を表示する表示画面３６を有する。
【００５９】
表示画面３６は、主表示部としてのテロップ表示部３２、選択部としてのタッチパネル３４、副表示部としてのモニタ画面３８等を有している。
【００６０】
ここで、印刷紙面検査装置は、種々のタイプのものが公知であり、印刷紙面の表面と裏面の少なくとも一方を検査して、合否判定をし、紙面に汚れなどの異常があった場合、その異常を知らせるものである。印刷紙面検査装置は、多数のセンサ素子を印刷方向に対して垂直に並べており、センサ素子単位で紙面記号を選択してモニタ画面に波形表示することにより、検査状況を詳しく知ることができるようになっている。
【００６１】
テロップ表示部３２は、記号を矢印Ｘ方向に移動させながら表示可能である。テロップ表示部３２には、記号ｉとしてセンサ素子番号たとえば、「９０ＣＨ、９１ＣＨ、９２ＣＨ、・・・・・」が示されている。
【００６２】
図３においては、このようなセンサ素子番号たとえば、「９０ＣＨ、９１ＣＨ、９２ＣＨ、・・・・・」が左から右へ移動させて表示されている。
【００６３】
テロップ表示部３２とモニタ画面３８は、図示省略された制御装置に接続されている。制御装置は、テロップ表示部３２に表示されるセンサ素子番号ｉの内容、表示色、移動速度等を制御するとともに、モニタ画面３８に表示される波形Ｉの内容等を制御する。
【００６４】
センサ素子番号ｉを表示するには、検査に使用されている全てのセンサ素子の中から、得たい情報がどのセンサ素子に含まれているかを予め絞込みする必要がある。
【００６５】
より詳しく説明すると、センサ素子番号ｉは、たとえばセンサ素子に対して設計上順番につけられた並び番号である。センサ素子単位の検査結果は、波形Ｉを表示する時点で、合否判定の形で検査処理用の作業メモリに記憶されており、センサ素子ごとに「合」か「否」かの判定結果が出ている。そこで「否」であった（エラーがあった）センサ素子番号ｉだけを、若番から順番にテロップ表示部３２に流しながら全て表示するのである。この数字表示は、エンドレスで繰り返し続けることができる。
【００６６】
表示画面３６の表面の全体にはタッチパネル３４が重なり合うように設けられている。この図３の例においては、タッチパネル３４は、表示画面３６を全体的に覆っているが、モニタ画面３８やその他の部分を除外して、表示画面３６の全体にタッチパネル３４を設けることもできる。逆に、主表示部（３２）などのようにタッチ操作する部分のみにタッチパネルを設けてもよい。
【００６７】
タッチパネル３４は、図示省略された制御装置に接続されている。タッチパネル３４がタッチされると、タッチされた位置が検出されて制御装置に送られるようになっている。
【００６８】
モニタ画面３８は、テロップ表示部３２に表示されたセンサ素子番号ｉのうち任意のセンサ素子番号に対応した波形Ｉを表示可能に構成されている。波形Ｉの表示は、希望するセンサ素子番号を指定して行われる。表示画面３６のモニタ画面３８には、検査の基準となる基準波形Ｅと、検査で基準波形Ｅと比較される検査波形Ｆの２つの波形が重ねて表示されている。
【００６９】
テロップ表示部３２の側方には、ボタン表示部として、再生ボタン３３ａと停止ボタン３３ｂが設けられている。再生ボタン３３ａは、センサ素子番号ｉの移動の再生を実行するためのボタンである。停止ボタン３３ｂは、センサ素子番号ｉの移動の停止を実行するためのボタンである。センサ素子番号ｉが移動しているときに、停止ボタン３３ｂをタッチすることにより移動を停止させ、センサ素子番号ｉを選択した後、再生ボタン３３ａをタッチすることにより移動を再生できる。
【００７０】
モニタ画面３８の左上には、番号表示部３５が設けられている。番号表示部３５は、部分３５ａ、後退ボタン３５ｂ及び前進ボタン３５ｃからなる。部分３５ａは、モニタ画面３８に表示されている波形に対応するセンサ素子番号を表示する部分である。後退ボタン３５ｂは、部分３５ａに表示されたセンサ素子番号を減少させるためのボタンである。前進ボタン３５ｃは、部分３５ａに表示されたセンサ素子番号を増加させるためのボタンである。図３に示した例において、部分３５ａに８８ＣＨと表示されているのは、センサ素子番号が８８（ＣＨ）の波形がモニタ画面３８に表示されていることを意味している。
【００７１】
モニタ画面３８の右上には、紙面選択部３７が設けられている。紙面選択部３７は、表紙面選択部３７ａと裏紙面選択部３７ｂからなり、それぞれ表紙面と裏紙面のセンサ素子番号ｉ及び波形Ｉを表示させるためのものである。
【００７２】
図３に示した例は、表紙面でエラーのあった波形を表示している。なお、表紙面と裏紙面のセンサ素子番号や波形をそれぞれ黄色と緑色で表示することにより、表紙面と裏紙面を容易に識別できる。
【００７３】
表示画面装置３０の使用例を説明する。
【００７４】
記号ｉが移動しているときに、使用者は任意の記号（たとえば９３ＣＨ）にモニタ画面３６上でタッチする。このように任意の記号「９３ＣＨ」が選択されたか否かは、従来の技術を利用することができる。例えば、制御装置は、テロップ表示部３２内の、タッチパネル３４のタッチされた位置を取得し、タッチされた位置と移動しているセンサ素子番号ｉの現在位置を比較する。タッチされた位置とセンサ素子番号ｉのうちのある番号、例えば９３ＣＨの現在位置が所定の誤差の範囲内で一致するとき、制御装置は番号９３ＣＨが選択されたと判断する。タッチされた位置とセンサ素子番号ｉの現在位置が一致しないとき、制御装置はセンサ素子番号が選択されていないと判断する。或いは、移動しているセンサ素子番号ｉの速度及び大きさからセンサ素子番号ｉの現在位置を見積もり、タッチされた位置と見積もられたセンサ素子番号ｉの現在位置を比較することにより、選択の有無を判断してもよい。
【００７５】
図４は、９３ＣＨが選択された状態を模式的に示す。
【００７６】
任意のセンサ素子番号が選択された後は、任意のセンサ素子番号に対応する波形をモニタ画面３８に表示する。
【００７７】
図５は、モニタ画面３８に選択された「９３ＣＨ」に対応する波形を表示した状態を示す。
【００７８】
図３から図５に示した実施例によれば、センサ素子番号ｉがモニタ画面３８に移動しながら表示されている状態のとき、選択したい番号にタッチすることで波形表示すべきセンサ素子を選択でき、選択されたセンサ素子に対応する波形をモニタ画面３８に表示できるのである。
【００７９】
なお、本発明は前述の実施例に限定されない。たとえば、表示画面の形状は矩形に限られない。
【図面の簡単な説明】
【００８０】
【図１】本発明による表示画面装置の一例を示す。
【図２】本発明による表示画面装置の別の例を示す
【図３】本発明による表示画面装置を印刷紙面検査装置に適用した例を示す。
【図４】図３の例においてセンサ素子番号が選択された状態を模式的に示す。
【図５】図３の例において選択されたセンサ素子番号に対応する波形を表示した状態を示す。
【符号の説明】
【００８１】
１０、２０、３０  表示画面装置
１２、２２  主表示部
１４、２４  選択部
１６、２６  表示画面
２８  副表示部
３２  テロップ表示部（主表示部）
３３ａ  再生ボタン
３３ｂ  停止ボタン
３４  タッチパネル（選択部）
３５  番号表示部
３５ａ  部分
３５ｂ  後退ボタン
３５ｃ  前進ボタン
３７  紙面選択部
３７ａ  表紙面選択部
３７ｂ  裏紙面選択部
３８  モニタ画面（副表示部）
【図１】
2005182457.tif 000003
【図２】
2005182457.tif 000004
【図３】
2005182457.tif 000005
【図４】
2005182457.tif 000006
【図５】
2005182457.tif 000007
【手続補正書】
【提出日】平成17年2月10日(2005.2.10)
【手続補正１】
【補正対象書類名】特許請求の範囲
【補正対象項目名】全文
【補正方法】変更
【補正の内容】
【特許請求の範囲】
【請求項１】
多数のセンサ素子を並べて印刷紙面の表面と裏面を検査する印刷紙面検査装置に使用する表示画面装置であって、表示画面（２６、３６）が主表示部（２２、３２）と副表示部（２８、３８）を有し、主表示部（２２、３２）には、センサ素子単位でセンサ素子番号を含む記号（ｉ）が数多く移動しながら表示され、主表示部（２２、３２）に表示されている任意の記号（ｉ）が選択されて、その記号（ｉ）の選択に応じた表示内容が副表示部（２８、３８）に表示されることを特徴とする表示画面装置。
【請求項２】
印刷紙面の表面と裏面の検査状況が波形で表示され、かつ、それらの波形が互いに異なる色で表示されることを特徴とする請求項１に記載の表示画面装置。
【請求項３】
波形が黄色と緑色で表示されることを特徴とする請求項２に記載の表示画面装置。
【請求項４】
記号（ｉ）を選択するための選択部（２４、３４）がタッチパネルで形成されていることを特徴とする請求項１〜３のいずれか１項に記載の表示画面装置。
【請求項５】
記号（ｉ）の選択により、主表示部（２２、３２）にそれまで表示されていた表示内容が主表示部（２２、３２）から消えて、記号（ｉ）の選択に応じた表示内容が主表示部（２２、３２）に表示されることを特徴とする請求項１〜４のいずれか１項に記載の表示画面装置。
【請求項６】
表示画面（２６、３６）が、記号（ｉ）の移動の停止及び再生を実行するためのボタン表示部（３３ａ、３３ｂ）を有することを特徴とする請求項１〜５のいずれか１項に記載の表示画面装置。
【請求項７】
表示画面（２６、３６）が、記号（ｉ）の移動の速度を変更するためのボタン表示部を有することを特徴とする請求項１〜６のいずれか１項に記載の表示画面装置。
【手続補正２】
【補正対象書類名】明細書
【補正対象項目名】全文
【補正方法】変更
【補正の内容】
【発明の詳細な説明】
【技術分野】
【０００１】
本発明は、多数のセンサ素子を並べて印刷紙面の表面と裏面を検査する印刷紙面検査装置に使用する表示画面装置に関する。
【背景技術】
【０００２】
近年の情報量の増加に伴い、数多くの選択肢の中から任意の選択肢を簡便に選択して表示できる手段が求められている。
【０００３】
印刷業界においても、特に印刷紙面検査装置について同様な要望がある。
【０００４】
一般に印刷紙面検査装置は、紙面を検査処理部で監視し、合否判定をし、紙面に汚れなどの異常があった場合、その異常を知らせるものである。印刷紙面検査装置は、通常複数のセンサ素子を印刷方向に対して垂直に並べており、センサ素子単位で紙面情報を選択してモニタ画面に波形表示することにより、検査状況を詳しく知ることができるようになっている。特に、近年の検査の高精度化により、紙面情報を詳細に得ようとすればするほど多数のセンサ素子が必要となっており、結果としてセンサ素子が増える傾向にある
特許文献１には、特に印刷紙面検査装置において、複数の表示部分の中から所望の表示部分を選択可能にした構成が示されている。
【特許文献１】特願２００２−１９６９９４号明細書
【発明の開示】
【発明が解決しようとする課題】
【０００５】
しかしながら、選択肢の数が増加すればするほど、その中から任意のものを選択するのは困難になる。例えば、多数の文字や絵のような記号を一時に表示すると、その中から任意の記号を選択するにはかなりの時間を要することになる。
【０００６】
また、特に印刷紙面検査装置においては、センサ素子が増える傾向にあるため、センサ素子単位で波形表示をする際に、センサ素子を選ぶのが困難な状況となっている。
【０００７】
そこで本発明は、数多くの表示内容（記号）の中から任意の表示内容（記号）を簡便に選択できる表示画面装置を提供することを目的としている。
【課題を解決するための手段】
【０００８】
本発明の解決手段を例示すると、次のとおりである。
【０００９】
（１）  多数のセンサ素子を並べて印刷紙面の表面と裏面を検査する印刷紙面検査装置に使用する表示画面装置であって、表示画面（２６、３６）が主表示部（２２、３２）と副表示部（２８、３８）を有し、主表示部（２２、３２）には、センサ素子単位でセンサ素子番号を含む記号（ｉ）が数多く移動しながら表示され、主表示部（２２、３２）に表示されている任意の記号（ｉ）が選択されて、その記号（ｉ）の選択に応じた表示内容が副表示部（２８、３８）に表示されることを特徴とする表示画面装置。
【００１０】
（２）  印刷紙面の表面と裏面の検査状況が波形で表示され、かつ、それらの波形が互いに異なる色で表示されることを特徴とする先述の表示画面装置。
【００１１】
（３）  波形が黄色と緑色で表示されることを特徴とする先述の表示画面装置。
【００１２】
（４）  記号（ｉ）を選択するための選択部（２４、３４）がタッチパネルで形成されていることを特徴とする先述の表示画面装置。
【００１３】
（５）  記号（ｉ）の選択により、主表示部（２２、３２）にそれまで表示されていた表示内容が主表示部（２２、３２）から消えて、記号（ｉ）の選択に応じた表示内容が主表示部（２２、３２）に表示されることを特徴とする先述の表示画面装置。
【００１４】
（６）  表示画面（２６、３６）が、記号（ｉ）の移動の停止及び再生を実行するためのボタン表示部（３３ａ、３３ｂ）を有することを特徴とする先述の表示画面装置。
【００１５】
（７）  表示画面（２６、３６）が、記号（ｉ）の移動の速度を変更するためのボタン表示部を有することを特徴とする先述の表示画面装置。
【発明の効果】
【００１６】
本発明によれば、表示内容（記号）を簡便に選択して表示できる。
【００１７】
選択部をタッチパネルとし、タッチパネルが主表示部に少なくとも部分的に重なり合うように設ければ、主表示部に表示された表示内容を直接選択できるので、表示内容を確実に選択できる。
【００１８】
また、主表示部が限られた面積であっても、多くの表示内容を主表示部や副表示部に表示させることが出来る。
【００１９】
記号の移動の停止及び再生を実行するためのボタン表示部を設ければ、移動を停止させて記号を確実に選択できる。
【００２０】
記号の移動の速度を変更するためのボタン表示部を設ければ、記号を高速又は低速で表示させて選択することができる。
【発明を実施するための最良の形態】
【００２１】
本発明の表示画面装置は、表示画面が、文字や絵のような記号を数多く移動させながら表示することができる主表示部と、それらの記号のうち任意の記号を選択するための選択部を有し、表示画面にタッチすることにより、任意の記号を選択し、その記号の選択に応じた表示内容を表示画面に表示する。
【００２２】
主表示部をスクロール式またはテロップ式の表示部とし、選択部をタッチパネルとし、タッチパネルが主表示部に少なくとも部分的に重ね合わさるように設けられる構成にするのが好ましい。
【００２３】
選択部が主表示部を全面的に覆うように設けられる構成にしても良い。
【００２４】
表示画面が、主表示部と、その主表示部の全体に重ねて設けられており、記号の選択によりそれまで表示されていた表示内容が主表示部から消えて、記号の選択に応じた表示内容が主表示部に表示されるようにすることも出来る。
【００２５】
表示画面が、主表示部に加えて副表示部を有し、記号の選択に応じた表示内容が副表示部に表示される構成にできる。
【００２６】
表示画面が、主表示部に加えて、記号の移動の停止及び再生を実行するためのボタン表示部や、記号の移動速度を変更するためのボタン表示部を有する構成にしても良い。その他、記号の言語等を変更するためのボタン表示部を有する構成にしても良い。
【００２７】
本発明は、印刷紙面検査装置に適用したものである。
【００２８】
以下に示す実施例において、記号を移動させる方向は、左右一方向のみが示されているが、上下左右いずれでもよい。
【００２９】
本願において、記号という用語は、最も広義に解するものとし、狭義の記号のほか、多種多様な記号、文字、図形、その他を含むものとする。
【００３０】
選択部は、任意の記号を選択できるものであれば良い。例えば感圧式又は感電式のタッチパネル（タッチスクリーンを含む）とすることができる。選択部の表面は、指先又はペン先等でタッチするタイプのものが好ましい。
【００３１】
本願において「タッチ」とは、主として直接タッチすることを意味するが、間接的なタッチも含むものとする。
【００３２】
本発明の主表示部は、文字や絵のような記号を数多く移動させながら表示することができるものが最適である。
【実施例】
【００３３】
以下、図面を参照して本発明の実施例を説明する。
【００３４】
実施例１
図１は、本発明による表示画面装置の別の例を示す。
【００３５】
表示画面装置２０は、制御装置２５と表示画面２６を有している。
【００３６】
表示画面２６は、主表示部２２、選択部２４、及び副表示部２８を有する。
【００３７】
主表示部２２は、記号ｉを矢印Ｘ方向に移動させながら表示可能である。主表示部２２には、記号ｉとしてａ、ｂ、ｃ、ｄが示されている。
【００３８】
図１においては、記号ａ、ｂ、ｃ、ｄが左から右へ移動されている状態が示されている。
【００３９】
主表示部２２と副表示部２８は、制御装置２５に接続されている。制御装置２５は、主表示部２２に表示される記号ｉの内容、表示色、移動速度等を制御するとともに、副表示部２８表示される記号Ｉの内容等を制御する。
【００４０】
主表示部２２の表面には、記号ｉのうちの任意の記号（たとえばｂ）を選択するための選択部２４が設けられている。選択部２４は主表示部２２と実質的に同一の寸法を有するタッチパネルで形成されていて、主表示部２２を全体的に覆っており、視認可能となっている。
【００４１】
選択部２４は、制御装置２５に接続されている。選択部２４がタッチされると、タッチされた位置が検出されて制御装置２５に送られるようになっている。
【００４２】
副表示部２８は、主表示部２２に表示された記号ｉのうちの任意の記号（たとえばｄ）に対応した記号Ｉを表示可能に構成されている。図１には、一例として大文字のＡが示されている。
【００４３】
表示画面装置２０の使用例を説明する。
【００４４】
記号ｉが移動しているときに、使用者は任意の記号（たとえばｄ）に表示画面２６上でタッチする。任意の記号ｄが選択されたか否かは、従来の技術を利用することができる。
例えば、制御装置２５は、表示画面２６の選択部２４がタッチされた位置を取得し、タッチされた位置と移動している記号ｉの現在位置を比較する。タッチされた位置と記号ｉのうちのある記号、例えば記号ａの現在位置が所定の誤差の範囲内で一致するとき、制御装置２５は記号ａが選択されたと判断する。タッチされた位置と記号ｉの現在位置が一致しないとき、制御装置２５は記号が選択されていないと判断する。或いは、移動している記号ｉの速度及び大きさから記号ｉの現在位置を見積もり、タッチされた位置と見積もられた記号ｉの現在位置を比較することにより、選択の有無を判断してもよい。
【００４５】
任意の記号が選択された後は、任意の記号に関連する記号を副表示部２８に表示する。
図１に示した例においては、記号ａが選択された後、記号ａに関連する表示内容Ａを副表示部２８に表示する。
【００４６】
実施例２
図２〜４は、本発明による表示画面装置を印刷紙面検査装置に適用した一例を示す。
【００４７】
表示画面装置３０は、図示省略された制御装置と、種々の内容を表示する表示画面３６を有する。
【００４８】
表示画面３６は、主表示部としてのテロップ表示部３２、選択部としてのタッチパネル３４、副表示部としてのモニタ画面３８等を有している。
【００４９】
ここで、印刷紙面検査装置は、印刷紙面の表面と裏面の少なくとも一方を検査して、合否判定をし、紙面に汚れなどの異常があった場合、その異常を知らせるものである。印刷紙面検査装置は、多数のセンサ素子を印刷方向に対して垂直に並べており、センサ素子単位で紙面記号を選択してモニタ画面に波形表示することにより、検査状況を詳しく知ることができるようになっている。
【００５０】
テロップ表示部３２は、記号を矢印Ｘ方向に移動させながら表示可能である。テロップ表示部３２には、記号ｉとしてセンサ素子番号たとえば、「９０ＣＨ、９１ＣＨ、９２ＣＨ、・・・・・」が示されている。
【００５１】
図２においては、このようなセンサ素子番号たとえば、「９０ＣＨ、９１ＣＨ、９２ＣＨ、・・・・・」が左から右へ移動させて表示されている。
【００５２】
テロップ表示部３２とモニタ画面３８は、図示省略された制御装置に接続されている。
制御装置は、テロップ表示部３２に表示されるセンサ素子番号ｉの内容、表示色、移動速度等を制御するとともに、モニタ画面３８に表示される波形Ｉの内容等を制御する。
【００５３】
センサ素子番号ｉを表示するには、検査に使用されている全てのセンサ素子の中から、得たい情報がどのセンサ素子に含まれているかを予め絞込みする必要がある。
【００５４】
より詳しく説明すると、センサ素子番号ｉは、たとえばセンサ素子に対して設計上順番につけられた並び番号である。センサ素子単位の検査結果は、波形Ｉを表示する時点で、合否判定の形で検査処理用の作業メモリに記憶されており、センサ素子ごとに「合」か「否」かの判定結果が出ている。そこで「否」であった（エラーがあった）センサ素子番号ｉだけを、若番から順番にテロップ表示部３２に流しながら全て表示するのである。この数字表示は、エンドレスで繰り返し続けることができる。
【００５５】
表示画面３６の表面の全体にはタッチパネル３４が重なり合うように設けられている。
この図２の例においては、タッチパネル３４は、表示画面３６を全体的に覆っているが、モニタ画面３８やその他の部分を除外して、表示画面３６の全体にタッチパネル３４を設けることもできる。逆に、主表示部（３２）などのようにタッチ操作する部分のみにタッチパネルを設けてもよい。
【００５６】
タッチパネル３４は、図示省略された制御装置に接続されている。タッチパネル３４がタッチされると、タッチされた位置が検出されて制御装置に送られるようになっている。
【００５７】
モニタ画面３８は、テロップ表示部３２に表示されたセンサ素子番号ｉのうち任意のセンサ素子番号に対応した波形Ｉを表示可能に構成されている。波形Ｉの表示は、希望するセンサ素子番号を指定して行われる。表示画面３６のモニタ画面３８には、検査の基準となる基準波形Ｅと、検査で基準波形Ｅと比較される検査波形Ｆの２つの波形が重ねて表示されている。
【００５８】
テロップ表示部３２の側方には、ボタン表示部として、再生ボタン３３ａと停止ボタン３３ｂが設けられている。再生ボタン３３ａは、センサ素子番号ｉの移動の再生を実行するためのボタンである。停止ボタン３３ｂは、センサ素子番号ｉの移動の停止を実行するためのボタンである。センサ素子番号ｉが移動しているときに、停止ボタン３３ｂをタッチすることにより移動を停止させ、センサ素子番号ｉを選択した後、再生ボタン３３ａをタッチすることにより移動を再生できる。
【００５９】
モニタ画面３８の左上には、番号表示部３５が設けられている。番号表示部３５は、部分３５ａ、後退ボタン３５ｂ及び前進ボタン３５ｃからなる。部分３５ａは、モニタ画面３８に表示されている波形に対応するセンサ素子番号を表示する部分である。後退ボタン３５ｂは、部分３５ａに表示されたセンサ素子番号を減少させるためのボタンである。前進ボタン３５ｃは、部分３５ａに表示されたセンサ素子番号を増加させるためのボタンである。図２に示した例において、部分３５ａに８８ＣＨと表示されているのは、センサ素子番号が８８（ＣＨ）の波形がモニタ画面３８に表示されていることを意味している。
【００６０】
モニタ画面３８の右上には、紙面選択部３７が設けられている。紙面選択部３７は、表紙面選択部３７ａと裏紙面選択部３７ｂからなり、それぞれ表紙面と裏紙面のセンサ素子番号ｉ及び波形Ｉを表示させるためのものである。
【００６１】
図２に示した例は、表紙面でエラーのあった波形を表示している。なお、表紙面と裏紙面のセンサ素子番号や波形をそれぞれ黄色と緑色で表示することにより、表紙面と裏紙面を容易に識別できる。
【００６２】
表示画面装置３０の使用例を説明する。
【００６３】
記号ｉが移動しているときに、使用者は任意の記号（たとえば９３ＣＨ）にモニタ画面３６上でタッチする。このように任意の記号「９３ＣＨ」が選択されたか否かは、従来の技術を利用することができる。例えば、制御装置は、テロップ表示部３２内の、タッチパネル３４のタッチされた位置を取得し、タッチされた位置と移動しているセンサ素子番号ｉの現在位置を比較する。タッチされた位置とセンサ素子番号ｉのうちのある番号、例えば９３ＣＨの現在位置が所定の誤差の範囲内で一致するとき、制御装置は番号９３ＣＨが選択されたと判断する。タッチされた位置とセンサ素子番号ｉの現在位置が一致しないとき、制御装置はセンサ素子番号が選択されていないと判断する。或いは、移動しているセンサ素子番号ｉの速度及び大きさからセンサ素子番号ｉの現在位置を見積もり、タッチされた位置と見積もられたセンサ素子番号ｉの現在位置を比較することにより、選択の有無を判断してもよい。
【００６４】
図３は、９３ＣＨが選択された状態を模式的に示す。
【００６５】
任意のセンサ素子番号が選択された後は、任意のセンサ素子番号に対応する波形をモニタ画面３８に表示する。
【００６６】
図４は、モニタ画面３８に選択された「９３ＣＨ」に対応する波形を表示した状態を示す。
【００６７】
図２から図４に示した実施例によれば、センサ素子番号ｉがモニタ画面３８に移動しながら表示されている状態のとき、選択したい番号にタッチすることで波形表示すべきセンサ素子を選択でき、選択されたセンサ素子に対応する波形をモニタ画面３８に表示できるのである。
【００６８】
なお、本発明は前述の実施例に限定されない。たとえば、表示画面の形状は矩形に限られない。
【図面の簡単な説明】
【００６９】
【図１】本発明による表示画面装置の一つの例を示す
【図２】本発明による表示画面装置を印刷紙面検査装置に適用した例を示す。
【図３】図２の例においてセンサ素子番号が選択された状態を模式的に示す。
【図４】図２の例において選択されたセンサ素子番号に対応する波形を表示した状態を示す。
【符号の説明】
【００７０】
２０、３０  表示画面装置
２２  主表示部
２４  選択部
２６  表示画面
２８  副表示部
３２  テロップ表示部（主表示部）
３３ａ  再生ボタン
３３ｂ  停止ボタン
３４  タッチパネル（選択部）
３５  番号表示部
３５ａ  部分
３５ｂ  後退ボタン
３５ｃ  前進ボタン
３７  紙面選択部
３７ａ  表紙面選択部
３７ｂ  裏紙面選択部
３８  モニタ画面（副表示部）
【手続補正３】
【補正対象書類名】図面
【補正対象項目名】全図
【補正方法】変更
【補正の内容】
【図１】
2005182457.tif 000008
【図２】
2005182457.tif 000009
【図３】
2005182457.tif 000010
【図４】
2005182457.tif 000011